(57)【要約】  太陽光発電装置と連動し、熱源器、温水蓄熱タンク、温水混合弁、利用側熱交換器を有する暖房装置において、温水蓄熱タンクに蓄熱可能な最大温度を決定する。暖房装置の制御部は、温水混合弁から出力される混合弁出湯温水の温度と、利用側熱交換器の放熱の温度差と、温水混合弁における温水蓄熱タンクから出力されるタンク出湯温水と利用側熱交換器からの戻り水との混合比と、設定される目標出湯温度とに基づいて、温水蓄熱タンクに蓄熱可能な最大温度を決定する。制御部は、温水蓄熱タンクにおける蓄熱温度が決定された最大温度となるよう熱源器の運転制御を行う。
2017134763.tif 000002
【特許請求の範囲】
【請求項１】
循環する水を加熱する熱源器と、
前記熱源器に接続され、前記熱源器で加熱される熱源器加熱温水が貯留される温水蓄熱タンクと、
前記温水蓄熱タンクに接続され、入力される温水と周囲空間との間で熱交換を行う利用側熱交換器と、
前記温水蓄熱タンクと前記利用側熱交換器との間に設けられ、前記温水蓄熱タンクから出力されるタンク出湯温水と前記利用側熱交換器から出力される戻り水とを混合し、混合した温水を前記利用側熱交換器に出力する温水混合弁とを有する熱源回路と、
前記温水混合弁から出力され前記利用側熱交換器に入力される混合弁出湯温水と前記戻り水との温度差と、前記温水混合弁における、前記タンク出湯温水と前記戻り水との混合比と、設定される目標出湯温度とに基づいて、前記温水蓄熱タンクに蓄熱可能な最大温度を決定する最大温度決定手段と、前記温水蓄熱タンクの蓄熱温度が前記最大温度となるよう前記熱源器を制御する運転制御手段とを有する制御部と
を備えた暖房装置。
【請求項２】
前記制御部は、前記温水混合弁における前記混合比と、前記目標出湯温度と、前記温度差とに基づいて前記最大温度の計算値を算出する最大温度計算手段を有し、
前記決定手段は、前記熱源器加熱温水の温度と前記混合比と前記戻り水の温度とから算出した前記混合弁出湯温水の温度の計算値と前記混合弁出湯温水の温度の実測値との比率に基づいて、前記最大温度計算手段で算出された前記計算値を補正し、前記最大温度を決定する
請求項１に記載の暖房装置。
【請求項３】
前記算出手段は、前記温水混合弁が有する機械的構成で規定される開度範囲のうち、前記戻り水に対する前記タンク出湯温水の比率が最小となる開度で前記温水混合弁が開かれている、という条件で前記混合比を設定し、前記計算値を算出する
請求項１または２に記載の暖房装置。
【請求項４】
前記温度差は、前記運転制御手段により前記熱源器が制御されているときの前記利用側熱交換器に入力される前記混合弁出湯温水と前記利用側熱交換器から出力される前記戻り水の温度差である請求項１〜３のいずれか１項に記載の暖房装置。
【請求項５】
前記目標出湯温度は、使用者に設定される下限値である請求項１〜４のいずれか１項に記載の暖房装置。
【請求項６】
前記熱源器は、冷媒と水との間で熱交換を行い温水を出力する熱源機と、前記熱源機から出力される温水を加熱する第１の加熱手段と、前記温水蓄熱タンクに貯留される温水を加熱する第２の加熱手段とを備える請求項１〜５のいずれか１項に記載の暖房装置。
【請求項７】
さらに、前記熱源器加熱温水を循環させる第１の循環ポンプと、前記戻り水を循環させる第２の循環ポンプとを備え、
前記運転制御手段は、前記熱源器と前記第１の循環ポンプと前記第２の循環ポンプとを制御する請求項１〜６のいずれか１項に記載の暖房装置。
【請求項８】
前記熱源器が太陽光発電によって動作するものである請求項１〜７のいずれか１項に記載の暖房装置。
【発明の詳細な説明】
【技術分野】
【０００１】
本発明は、自然エネルギーを利用した暖房装置に関するものである。
【背景技術】
【０００２】
従来、戸建て住宅や集合住宅などの比較的小規模な建物において、輻射式暖房が用いられている。欧州における暖房は、温水循環による床暖房、ラジエータなど輻射暖房方式が一般的である。近年、このような一般住宅における暖房には、例えば太陽光発電等の自然エネルギーによる発電を利用した装置が広く普及している。太陽光発電を利用した暖房装置は、暖房回路内に温水蓄熱タンクを備えており、この温水蓄熱タンクに温水が貯湯され、熱が一時的に蓄熱される。【０００３】
特許文献１には、商用電力によりヒートポンプユニットを稼働させヒートポンプユニットで加熱した高温の湯を貯湯タンク内に貯える貯湯式給湯装置を、暖房熱源として機能させる構成が記載されている。この装置では、急激な気温変化に起因する貯湯タンクの蓄熱量不足若しくは蓄熱量過多による使い勝手の悪さ、電力料金の無駄を防止するため、給湯に使用すると予測される給湯予測熱量と暖房に使用されると予測される暖房予測熱量とを求めて蓄熱する目標蓄熱量として算出し、貯湯タンク内の湯の沸かし上げを行っている。
【先行技術文献】
【特許文献】
【０００４】
【特許文献１】特開２００５−２５７２１３号公報
【発明の概要】
【発明が解決しようとする課題】
【０００５】
しかしながら、特許文献１に記載の暖房装置を単純に太陽光発電装置を利用して動作させても、貯湯タンクへの蓄熱温度は、現在の目標出湯温度に数℃程度、または予め定めた放熱器の許容上限温度までしか温度を上げることができない。蓄熱タンクの蓄熱温度が過剰である場合、室内温度の上昇により使用者に不快感を与えることがあり、また床暖房などの利用側熱交換器の許容上限温度を超えた温水が流入することにより利用側熱交換器の故障を招く恐れがあるからである。特許文献１の暖房装置では、これらの不具合を回避するために、太陽光発電により得られるエネルギーを十分に活用することができないという問題がある。【０００６】
本発明は、上記のような課題を解決するためになされたものであり、使用者の快適性をそこなうことなく、自然エネルギーによる発電を最大限活用することを目的とする。
【課題を解決するための手段】
【０００７】
本発明に係る暖房装置は、循環する水を加熱する熱源器と、熱源器に接続され、熱源器で加熱される熱源器加熱温水が貯留される温水蓄熱タンクと、温水蓄熱タンクに接続され、入力される温水と周囲空間との間で熱交換を行う利用側熱交換器と、温水蓄熱タンクと利用側熱交換器との間に設けられ、温水蓄熱タンクから出力されるタンク出湯温水と利用側熱交換器から出力される戻り水とを混合し、混合した温水を利用側熱交換器に出力する温水混合弁とを有する熱源回路と、温水混合弁から出力され利用側熱交換器に入力される混合弁出湯温水と戻り水との温度差と、温水混合弁における、タンク出湯温水と戻り水との混合比と、設定される目標出湯温度とに基づいて、温水蓄熱タンクに蓄熱可能な最大温度を決定する最大温度決定手段と、温水蓄熱タンクの蓄熱温度が最大温度となるよう熱源器を制御する運転制御手段とを有する制御部とを含むものである。
【発明の効果】
【０００８】
本発明に係る暖房装置によると、温水混合弁から出力される温水の温度、利用側熱交換器の放熱の温度差、温水混合弁における混合比、および設定される目標出湯温度から、温水蓄熱タンクに蓄熱可能な最大温度が決定され、温水蓄熱タンクの蓄熱温度が決定された最大温度となるよう、熱源器が制御される。従って、使用者の快適性を維持するとともに利用側熱交換器の機能に影響を与えることなく、温水蓄熱タンクにおける蓄熱可能な温度を高めることができる。
【図面の簡単な説明】
【０００９】
【図１】本発明の実施の形態に係る暖房装置を示すブロック図である。
【図２】本発明の実施の形態に係る暖房装置の制御コントローラと、該制御コントローラとの間で入出力が行われる構成要素とを示すブロック図である。
【図３】本発明の実施の形態に係る暖房装置における、温水混合弁の開度、温水蓄熱タンクの蓄熱可能な最大温度、利用側熱交換器の放熱の温度差の関連を示す図である。
【発明を実施するための形態】
【００１０】
以下に、本発明における暖房装置の実施の形態を図面に基づいて詳細に説明する。なお、以下に説明する実施の形態によって本発明が限定されるものではない。また、以下の図面においては各構成部材の大きさは実際の装置とは異なる場合がある。
【００１１】
実施の形態．
図１は、本発明の実施の形態に係る暖房装置を示すブロック図である。熱源回路１は、熱源機１００と、第１の循環ポンプ１０１と、第２の循環ポンプ１０２と、温水混合弁１０３と、温水蓄熱タンク１０４と、浸水ヒータ１０５と、利用側熱交換器１０６と、冷媒／水熱交換器１０７と、ブースタヒータ１０８を備えている。本実施の形態では、熱源機１００と、浸水ヒータ１０５と、ブースタヒータ１０８とで、熱源回路１を循環する水を加熱する熱源器を構成している。
【００１２】
熱源機１００は、冷媒／水熱交換器１０７を含む冷媒回路で構成されており、空気と冷媒との冷凍サイクルにより高温または低温の冷媒を生成する。冷媒／水熱交換器１０７において、暖房の場合は生成された冷媒と温水との熱交換が行われ、冷房の場合は冷媒と冷水との熱交換が行われる。
【００１３】
本実施の形態において、熱源回路１は暖房に用いられる。冷媒／水熱交換器１０７は、例えばプレート式熱交換器であり、生成された冷媒と温水との熱交換が行われる。冷媒／水熱交換器１０７において熱交換された温水は、温水蓄熱タンク１０４を経由して利用側熱交換器１０６へ送られる。利用側熱交換器１０６は、放熱器であり、例えば床暖房若しくはラジエータなどに用いられ、対象物を暖めるものである。
【００１４】
このような熱源回路１を暖房として用いる場合において、温水蓄熱タンク１０４は、冷媒／水熱交換器１０７における熱交換で高温となった温水を貯留しておくタンクであり、熱源回路１全体の保有水量の確保、例えばボイラ等の他熱源との接続用などを目的として配設される。本実施の形態では、温水蓄熱タンク１０４は、太陽光発電における蓄熱タンクとして使用することを目的としている。温水蓄熱タンク１０４には、浸水ヒータ１０５が設けられている。浸水ヒータ１０５は、熱源機１００の加熱能力が不足している場合等に、温水蓄熱タンク１０４の内部に貯留している温水をさらに加熱するためのものである。
【００１５】
第１の循環ポンプ１０１は、熱源機１００の冷媒／水熱交換器１０７と温水蓄熱タンク１０４との間を循環させ、第２の循環ポンプ１０２は、利用側熱交換器１０６と温水蓄熱タンク１０４との間を循環させる。
【００１６】
熱源機１００と温水蓄熱タンク１０４との間にはブースタヒータ１０８が設けられている。ブースタヒータ１０８は、冷媒／水熱交換器１０７で加熱された後の温水をさらに補助的に加熱するためのものである。
【００１７】
温水混合弁１０３は、温水蓄熱タンク１０４と利用側熱交換器１０６との間に設けられており、ここでは三方弁を用いて、温水蓄熱タンク１０４から出るタンク出湯温水と、利用側熱交換器１０６から戻る戻り水の混合を制御する。温水混合弁１０３の開度が小さい場合、利用側熱交換器１０６からの戻り水に対する温水蓄熱タンク１０４からのタンク出湯温水の量は少ない。温水混合弁１０３の開度が大きい場合、利用側熱交換器１０６からの戻り水に対する温水蓄熱タンク１０４からのタンク出湯の量は多い。温水混合弁１０３の開度は％で表される。例えば、温水混合弁１０３の開度が１０％の場合、タンク出湯温水と戻り水の混合比は１：９となる。
【００１８】
制御コントローラ２００には太陽光発電システムの発電コントローラ３００が接続されている。発電コントローラ３００から制御コントローラ２００へ蓄熱指令が出されると、制御コントローラ２００は熱源機１００を駆動して温水蓄熱タンク１０４への蓄熱を実施する。熱源機１００の加熱能力が不足している場合は、上述の浸水ヒータ１０５またはブースタヒータ１０８が駆動され、温水蓄熱タンク１０４への蓄熱が行われる。
【００１９】
熱源回路１には、第１の出湯温度センサ２０１、第１の戻り温度センサ２０２、第２の出湯温度センサ２０６、第２の戻り温度センサ２０７、および蓄熱温度センサ２０８が設けられている。第１の出湯温度センサ２０１は、熱源機１００から出力され、場合によってブースタヒータ１０８によりさらに加熱され、温水蓄熱タンク１０４へ入力される熱源機出湯温水の温度を検知するためのものである。第２の出湯温度センサ２０６は、温水混合弁１０３から出力され、利用側熱交換器１０６へ入力される混合弁出湯温水の温度を検知するためのものである。第２の戻り温度センサ２０７は、利用側熱交換器１０６で周囲空間の空気と熱交換して利用側熱交換器１０６から戻ってきた戻り水の温度を検知するためのものである。第１の戻り温度センサ２０２は、利用側熱交換器１０６から温水蓄熱タンク１０４を経由して熱源機１００へ戻ってきた水の温度を検知するためのものである。蓄熱温度センサ２０８は、温水蓄熱タンク１０４の蓄熱温度を検知するためのものである。
【００２０】
制御コントローラ２００には、第１の出湯温度センサ２０１、第１の戻り温度センサ２０２、第２の出湯温度センサ２０６、第２の戻り温度センサ２０７、および蓄熱温度センサ２０８からそれぞれ出力される温度情報が入力される。また、制御コントローラ２００には、温水混合弁１０３の弁開度情報が入力される。さらに、制御コントローラ２００には、使用者により操作されるメインリモコン２０９の出力情報が入力される。使用者は、メインリモコン２０９を介して、目標出湯温度、目標出湯温度上限値、目標出湯温度下限値等を設定することができる。制御コントローラ２００は、これらの入力情報に基づいて、熱源機１００の制御、第１の循環ポンプ１０１および第２の循環ポンプ１０２のＯＮ／ＯＦＦ制御、温水混合弁１０３の弁開度の調節、浸水ヒータ１０５およびブースタヒータ１０８の制御を行う。
【００２１】
図２は、本発明の実施の形態に係る暖房装置の制御コントローラと、該制御コントローラとの間で入出力が行われる構成要素とを示すブロック図である。制御コントローラ２００は、温度情報取得手段２１１と、最大温度計算手段２１２と、最大温度決定手段２１３と、運転制御手段２１４とを備えている。
【００２２】
制御コントローラ２００の温度情報取得手段２１１に、第１の出湯温度センサ２０１、第１の戻り温度センサ２０２、第２の出湯温度センサ２０６、および第２の戻り温度センサ２０７からそれぞれ出力された情報が入力される。すなわち、温度情報取得手段２１１は、熱源機出湯温水の温度情報を第１の出湯温度センサ２０１から受け取り、タンク出湯温水の温度情報を第２の出湯温度センサ２０６から受け取り、利用側熱交換器１０６からの戻り水の温度情報を第２の戻り温度センサ２０７から受け取り、熱源機１００へ戻ってきた水の温度情報を第１の戻り温度センサ２０２から受け取る。
【００２３】
また、温度情報取得手段２１１には、メインリモコン２０９から出力された情報が入力される。すなわち、温度情報取得手段２１１は、使用者により設定された目標出湯温度、目標出湯温度上限値、目標出湯温度下限値を受け取る。
【００２４】
温度情報取得手段２１１が受け取った上述の情報は、最大温度計算手段２１２に出力される。最大温度計算手段２１２は、温度情報取得手段２１１から入力された上述の情報に基づいて、温水蓄熱タンク１０４に貯湯される温水の可能最大温度、すなわち温水蓄熱タンク１０４に蓄熱可能な最大温度（以下、蓄熱可能最大温度）の計算値を算出する。
【００２５】
以下に、最大温度計算手段２１２で実行される蓄熱可能最大温度の計算値の算出の手順を説明する。蓄熱可能最大温度の算出には、以下の式（１）で示す熱量の算出式が用いられる。
【数１】
2017134763.tif 000003
【００２６】
式（１）において、比熱Ｃｐを「１」、温水質量を温水混合弁１０３の開度に置き換えることにより、式（２）に示すように熱量比率Ｑｒａｔｅの算出式が得られる。
【数２】
2017134763.tif 000004
【００２７】
式（２）中、温水混合弁１０３の開度ｒの単位は％（パーセント）である。
【００２８】
ここで、熱源機１００から出力され、場合によって浸水ヒータ１０５若しくはブースタヒータ１０８で加熱され、温水混合弁１０３に入力される熱源器加熱温水（温水Ａ）の温度、利用側熱交換器１０６から戻ってきて温水混合弁１０３に入力される戻り水（以下温水Ｂ）、および温水混合弁１０３から出力される混合弁出湯温水（温水Ｃ）の温度の関係について考察する。温水Ａの温度を出湯温度ＴＨＷ１とし、温水Ｂの温度を戻り温度ＴＨＷ７、温水Ｃの温度をＴｅｍｐＣとする。温水混合弁１０３により混合されることにより温水Ａが失った熱量Ｑ（Ａ）および温水Ｂが得た熱量Ｑ（Ｂ）は、上述の式（１）より以下の通りとなる。
【数３】
2017134763.tif 000005
【００２９】
さらに、上述の式（２）より、温水Ａが失った熱量比率Ｑｒａｔｅ（Ａ）および温水Ｂが得た熱量比率Ｑｒａｔｅ（Ｂ）は以下の通りとなる。
【数４】
2017134763.tif 000006
【００３０】
熱量保存の法則により、高温の温水Ａが失った熱量は低温の温水Ｂが得た熱量と等しく、高温の温水Ａが失った熱量の比率は低温の温水Ｂが得た熱量の比率と等しい。従って以下の式（５）が得られる。
【数５】
2017134763.tif 000007
【００３１】
式（５）に基づいて、ＴｅｍｐＣ、すなわち温水混合弁１０３から出力される温水Ｃの温度を算出することができる。
【００３２】
一方、第２の出湯温度センサ２０６から出力され、制御コントローラ２００に入力される情報は、温水Ｃの実測値である。すなわち、温水蓄熱タンク１０４から出力されたタンク出湯温水と温水Ｂとが温水混合弁１０３で混合されて出力される温水Ｃの実際の温度が、第２の出湯温度センサ２０６から得られる。第２の出湯温度センサ２０６から得られる温水Ｃの実測値をＴＨＷ６とすると、式（６）に示すように、温水Ｃの実測値と計算値の比率αが得られる。
【数６】
2017134763.tif 000008
【００３３】
次に、温水蓄熱タンク１０４の蓄熱可能最大温度の算出について説明する。熱源機１００から出力される熱源機出湯温水の熱量と利用側熱交換器１０６からの戻り水の熱量との間に成立する比率関係を示した上述の式（４）および式（５）を、温水混合弁１０３から出力される混合弁出湯温水の熱量と利用側熱交換器１０６の戻り水の熱量の比率について適用することにより、温水蓄熱タンク１０４における蓄熱可能最大温度を算出する。本実施の形態では、温水蓄熱タンク１０４における蓄熱可能最大温度の算出において、以下の３つの条件に基づいて式（５）を適用する。
【００３４】
第１の条件として、式（５）中の温水混合弁１０３の開度ｒには最小開度Ｒｍｉｎを用いる。最小開度とは、温水混合弁１０３が有する機械的構成で規定される開度範囲のうち、利用側熱交換器１０６からの戻り水に対する温水蓄熱タンク１０４からのタンク出湯温水の比率が最小となる開度である。温水混合弁１０３により高温の温水を少量だけ混合させるという目的で、第１の条件が設定される。
【００３５】
第２の条件として、温水混合弁１０３により混合されることにより利用側熱交換器１０６からの戻り水である温水Ｂが得る熱量の比率の算出において、温度差には現行の温度差が使用される。現行の温度差とは、後述する運転制御手段２１４により熱源機１００が運転制御され、熱源回路１において温水が循環しているときに、第２の出湯温度センサ２０６から得られる温水Ｃの実測値であるＴＨＷ６と、第２の戻り温度センサ２０７から得られる温水Ｂの温度である戻り温度ＴＨＷ７との差分であり、利用側熱交換器１０６の放熱の温度差である。この現行の温度差を用いるのは、欧州で使用されている利用側熱交換器の温度範囲（例えば３０℃〜６０℃）での温度差は大きく変化しないためである。
【００３６】
第３の条件として、式（５）中において、温水混合弁１０３から出力される混合弁出湯温水である温水Ｃの値に代えて目標出湯温度下限値を用いる。目標出湯温度の値は室内温度および外気温度の高低に従って可変する値である。使用者の快適性を実現するためにはメインリモコン２０９で使用者により設定される目標出湯温度の範囲（目標出湯温度下限値〜目標出湯温度上限値）をカバーする必要がある。そこで、目標出湯温度の範囲をカバーするために、目標出湯温度下限値を用いる。
【００３７】
第１〜第３の条件に基づいて上述の式（５）を展開すると、以下の式（７）が得られる。
【数７】
2017134763.tif 000009
【００３８】
式（７）より、温水蓄熱タンク１０４の蓄熱可能最大温度の計算値（Max_bufferT_CAL）が求められる。最大温度計算手段２１２で算出された蓄熱可能最大温度の計算値（Max_bufferT_CAL）は最大温度決定手段２１３に出力される。
【００３９】
熱量比率から算出される温水の温度値と実際に計測される温水の温度値は、上述の式（６）で示す比率αを成している。従って、以下に示す式（８）に示すように、蓄熱可能な最大温度の計算値を比率αで割ることにより、蓄熱可能な最大温度として実現できる値である実際値（Max_bufferT）が得られる。換言すると、蓄熱可能最大温度の実際値は、式（７）から求めた蓄熱可能最大温度の計算値を比率αで補正することにより得られる。最大温度決定手段２１３では、式（８）に基づいて蓄熱可能最大温度の計算値を補正し、蓄熱可能な最大温度を決定する。
【数８】
2017134763.tif 000010
【００４０】
図３に、蓄熱可能最大温度の実際値（Max_bufferT）、目標出湯温度下限値（The_min）、温水混合弁１０３の開度（Rmin）、利用側熱交換器１０６で放熱される温度差（ΔT）の関連を示す。
【００４１】
最大温度決定手段２１３で決定された蓄熱可能最大温度は、運転制御手段２１４に出力される。運転制御手段２１４は、温水蓄熱タンク１０４に貯湯される温水の温度が、最大温度決定手段２１３で決定された蓄熱可能最大温度となるよう、冷媒／水熱交換器１０７、ブースタヒータ１０８、浸水ヒータ１０５、第１の循環ポンプ１０１、および第２の循環ポンプ１０２の制御を行う。運転制御手段２１４において、冷媒／水熱交換器１０７、ブースタヒータ１０８、浸水ヒータ１０５、第１の循環ポンプ１０１、および第２の循環ポンプ１０２の制御は、温水蓄熱タンク１０４に設置された蓄熱温度センサ２０８からの出力をモニタしながら実行される。運転制御手段２１４は、蓄熱温度センサ２０８から検知される温度が蓄熱可能最大温度に到達した時点で、蓄熱完了と判断する。なお、第１の戻り温度センサ２０２により検知される熱源機１００へ戻ってきた温水の温度が蓄熱可能最大温度に到達した時点で蓄熱完了と判断してもよい。
【００４２】
ここで、具体的な数値を用いて本実施の形態の作用について説明する。各計測値について、温水Ａの出湯温度ＴＨＷ１を５０℃、第２の出湯温度センサ２０６から得られる温水Ｃの温度ＴＨＷ６を４０℃、第２の戻り温度センサ２０７から得られる温水Ｂの戻り温度ＴＨＷ７を３５℃とする。また、温水混合弁１０３の開度を３０％とする。さらに、使用者によりメインリモコン２０９で、目標出湯温度の上限値が６０℃、下限値が３０℃に設定されたとする。これらの各値を上述の式（５）に代入すると、以下の通り温水Ｃの温度の計算値であるＴｅｍｐＣが得られる。
【数９】
2017134763.tif 000011
【００４３】
ＴｅｍｐＣおよびＴＨＷ６を上述の式（６）に代入すると、以下の通り、比率αが得られる。
【数１０】
2017134763.tif 000012
【００４４】
一方、上述の式（７）に、温水混合弁１０３の最小開度を１０％とし、使用者によりメインリモコン２０９で設定される目標出湯温度下限値の３０℃、温水Ｃの温度ＴＨＷ６（４０℃）と温水Ｂの戻り温度ＴＨＷ７（３５℃）の温度差５℃を代入すると、以下の通り、蓄熱可能最大温度の計算値が算出される。
【数１１】
2017134763.tif 000013
【００４５】
さらに、先に求めた蓄熱可能最大温度の計算値（７５℃）を比率α（０．９８７５）で補正することにより、蓄熱可能最大温度の実際値（Max_buffer）として約７９．９５℃が決定される。
【数１２】
2017134763.tif 000014
【００４６】
従来、温度上昇が利用側熱交換器１０６に与えるダメージおよび使用者が感じるであろう不快感を考慮し、温水蓄熱タンク１０４において、使用者により設定された目標出湯温度上限値より２、３℃高い温度までしか蓄熱できない。すなわち、上述のように目標出湯温度上限値が６０℃に設定された場合、従来では６２、６３℃程度までしか、温水蓄熱タンク１０４において蓄熱することができない。これに対し、本実施の形態によれば、目標出湯温度の上限値６０℃に対して、約７５．９５℃まで蓄熱することができる。
【００４７】
温水蓄熱タンク１０４の蓄熱可能最大温度の算出において、使用者により設定される目標出湯温度の下限値と利用側熱交換器１０６の放熱の温度差を用いている。目標出湯温度の下限値を用いることにより、算出された最大温度まで温水蓄熱タンク１０４で蓄熱しても、使用者の快適性を損なうことがない。また、利用側熱交換器１０６の放熱の温度差を用いることにより、温度上昇に起因する利用側熱交換器１０６の動作不良を防止することができる。
【００４８】
従って、本実施の形態のように太陽光発電システムに接続されている場合、使用者の快適性を維持しながら太陽光発電により得られるエネルギーを十分に活用することができ、省エネルギー、省コストが図られる。
【００４９】
なお、本実施の形態においては、温水Ｂが得る熱量Ｑ（Ｂ）の算出に用いる温度差として現行の温度差を使用しているが、これに限るものではない。過去に計測した温水混合弁１０３から出力される温水Ｃの実測値の温度ＴＨＷ６と、利用側熱交換器１０６から戻ってくる温水Ｂの戻り温度ＴＨＷ７に基づいて学習した温度差を用いてもよい。
【符号の説明】
【００５０】
１  熱源回路、１００  熱源機、１０１  第１の循環ポンプ、１０２  第２の循環ポンプ、１０３  温水混合弁、１０４  温水蓄熱タンク、１０５  浸水ヒータ、１０６  利用側熱交換器、１０７  冷媒間交換器、１０８  ブースタヒータ、２００  制御コントローラ、２０１  第１の出湯温度センサ、２０２  第１の戻り温度センサ、２０６  第２の出湯温度センサ、２０７  第２の戻り温度センサ、２０８  蓄熱温度センサ、２０９  メインリモコン、２１１  温度情報取得手段、２１２  最大温度計算手段、２１３  最大温度決定手段、２１４  運転制御手段、３００  外部コントローラ。
【図１】
2017134763.tif 000015
【図２】
2017134763.tif 000016
【図３】
2017134763.tif 000017
【国際調査報告】
2017134763.tif 000018
2017134763.tif 000019
2017134763.tif 000020
2017134763.tif 000021